(57)【要約】【課題】シートの前端付近または後端付近に罫線があるときにも、そのシートを精度よく送れるようにする。【解決手段】上下一対の送りローラ１、２からなるローラユニット３をシート送り方向に対して直角方向に間隔をあけて複数設け、隣り合うローラユニット３、３をシート送り方向に互いにずらして配置し、上側の送りローラ１を同時に回転させる上側ローラ駆動手段と、下側の送りローラ２を同時に回転させる下側ローラ駆動手段とを設け、回転する上側の送りローラ１と下側の送りローラ２でシート５を挟んで送るようにする。【選択図】図２
2006312539.tif 000002
【特許請求の範囲】
【請求項１】
上下一対の送りローラからなるローラユニットをシート送り方向に対して直角方向に間隔をあけて複数設け、その隣り合うローラユニットをシート送り方向に互いにずらして配置し、前記複数のローラユニットの上側の送りローラを同時に回転させる上側ローラ駆動手段と、前記複数のローラユニットの下側の送りローラを同時に回転させる下側ローラ駆動手段とを設け、回転する上側の前記送りローラと下側の前記送りローラでシートを挟んで送るシート送り装置。
【請求項２】
前記上側ローラ駆動手段が、前記上側の送りローラと平行に設けた上回転駆動軸と、その上回転駆動軸の回転を前記上側のそれぞれの送りローラに伝達するトルク伝達手段とからなる請求項１に記載のシート送り装置。
【請求項３】
前記複数のローラユニットを、シート送り方向に交互にずれる千鳥状の配置とし、上流側に位置する上側の送りローラと下流側に位置する上側の送りローラの中間の上方に前記上回転駆動軸を配置した請求項２に記載のシート送り装置。
【請求項４】
前記下側ローラ駆動手段が、前記下側の送りローラと平行に設けた下回転駆動軸と、その下回転駆動軸の回転を前記下側のそれぞれの送りローラに伝達するトルク伝達手段とからなる請求項１から３のいずれかに記載のシート送り装置。
【請求項５】
前記複数のローラユニットを、シート送り方向に交互にずれる千鳥状の配置とし、上流側に位置する下側の送りローラと下流側に位置する下側の送りローラの中間の下方に前記下回転駆動軸を配置した請求項４に記載のシート送り装置。
【発明の詳細な説明】
【技術分野】
【０００１】
この発明は、段ボールシート等のシートを送るシート送り装置に関する。
【背景技術】
【０００２】
段ボールシートに印刷を施す印刷機は、一般に、上下一対の送りローラからなるシート送り装置で段ボールシートを版胴に送るようにしている。しかし、段ボールシートにシート送り方向と直角方向の罫線があると、その罫線の位置で送りローラが段ボールシートを挟むニップ圧が低くなり、段ボールシートの送りが不安定になって、印刷にずれを生じる。
【０００３】
この印刷ずれを防止するために、図７（ａ）に示すように上下一対の送りローラをシート送り方向に２列配置し、その送りローラで、送り出し装置３０から送り出された段ボールシート３１を挟んで印刷機の版胴３２と圧胴３３の間に送り込むようにしたシート送り装置が知られている。このシート送り装置においては、段ボールシート３１の表面が罫線３１ａの位置で一方の列の送りローラ３４、３５から離れても、他方の列の送りローラ３６、３７が段ボールシート３１を挟んでいるので、段ボールシート３１を精度よく送ることができる。
【０００４】
しかし、図７（ｂ）に示すように罫線３１ａが段ボールシート３１の前端付近にあると、下流側の送りローラ３６、３７が段ボールシート３１の前端を挟み込む前に、段ボールシート３１の罫線３１ａが上流側の送りローラ３４、３５と対向して、段ボールシート３１の送りが不安定になる。また、段ボールシート３１の後端付近に罫線がある場合も、上流側の送りローラ３４、３５が段ボールシートの後端を送り出した後に、段ボールシート３１の罫線３１ａが下流側の送りローラ３６、３７と対向して、段ボールシート３１の送りが不安定になる。
【０００５】
この問題は、送りローラのローラ径を小さくして、上流側の送りローラと下流側の送りローラの設置間隔を小さくすることによって解消することができるが、ローラ径が小さくなると送りローラがたわんで共振しやすくなるので、ローラ径を必要以上に小さくすることができない。
【０００６】
そこで、この従来のシート送り装置では、図７（ａ）（ｂ）に示すように、上流側の送りローラ３４、３５を下流側の送りローラ３６、３７の間に入り込ませることによって、上流側の送りローラ３４、３５と下流側の送りローラ３６、３７の設置間隔を小さくしているが、この設置間隔は、上流側の送りローラ３４、３５と下流側の送りローラ３６、３７とが互いに干渉しない範囲でしか小さくすることができない。そのため、このシート送り装置を用いても、段ボールシート３１の前端付近または後端付近に罫線３１ａがあると段ボールシート３１を精度よく送ることができなかった。
【発明の開示】
【発明が解決しようとする課題】
【０００７】
この発明は、シートの前端付近または後端付近に罫線があるときにも、そのシートを精度よく送れるようにすることを課題とする。
【課題を解決するための手段】
【０００８】
上記の課題を解決するために、上下一対の送りローラからなるローラユニットをシート送り方向に対して直角方向に間隔をあけて複数設け、その隣り合うローラユニットをシート送り方向に互いにずらして配置し、前記複数のローラユニットの上側の送りローラを同時に回転させる上側ローラ駆動手段と、前記複数のローラユニットの下側の送りローラを同時に回転させる下側ローラ駆動手段とを設け、回転する上側の前記送りローラと下側の前記送りローラでシートを挟んで送る構成を採用した。
【０００９】
この構成の段ボール送り装置は、シート送り方向に対して直角方向に隣り合うローラユニットが互いに分かれているので、その隣り合うローラユニットのシート送り方向のずれ量を自由に設定することができる。そのため、シートの前端付近または後端付近に罫線があるときにも、隣り合うローラユニットのシート送り方向のずれ量を、シートの前端または後端から罫線までの距離よりも小さく設定することによってシートを精度よく送ることができる。
【００１０】
前記上側ローラ駆動手段は、前記上側の送りローラと平行に設けた上回転駆動軸と、その上回転駆動軸の回転を前記上側のそれぞれの送りローラに伝達するトルク伝達手段とで構成すると好ましい。このようにしたものは、上側のそれぞれの送りローラが共通の上回転駆動軸で駆動されるので、上側のそれぞれの送りローラの回転速度が一致し、シートをより精度よく送ることができる。
【００１１】
さらに、前記複数のローラユニットを、交互にシート送り方向にずれる千鳥状の配置とし、上流側に位置する上側の送りローラと下流側に位置する上側の送りローラの中間の上方に前記上回転駆動軸を配置したものは、送りローラと上回転駆動軸とが上下に並ぶので、シート送り方向の設置スペースが小さく済み、フレキソフォルダグルア等の印刷機ユニットへの組み込みが容易である。
【００１２】
同様に、前記下側ローラ駆動手段は、前記下側の送りローラと平行に設けた下回転駆動軸と、その下回転駆動軸の回転を前記下側のそれぞれに伝達するトルク伝達手段とで構成すると好ましく、さらに、前記複数のローラユニットを、交互にシート送り方向にずれる千鳥状の配置とし、上流側に位置する下側の送りローラと下流側に位置する下側の送りローラの中間の下方に前記下回転駆動軸を配置するとより好ましい。
【発明の効果】
【００１３】
この発明のシート送り装置は、シート送り方向に対して直角方向に隣り合うローラユニットのシート送り方向のずれ量を自由に設定することができるので、シートの前端付近または後端付近に罫線があるときにも、そのシートを精度よく送ることができる。
【発明を実施するための最良の形態】
【００１４】
図１に、この発明のシート送り装置の実施形態を示す。この装置は、上下一対の送りローラ１、２からなる複数のローラユニット３を有する。このローラユニット３は、段ボールシートの送り出し装置４から送り出された段ボールシート５を挟んで印刷機の版胴６と圧胴７の間に送り込む。
【００１５】
ローラユニット３はそれぞれ、図２に示すようにシート送り方向に対して直角方向に間隔をあけて配置されており、隣り合うローラユニット３、３がそれぞれ、シート送り方向に互いにずれるように配置されている。そのシート送り方向のずれ量は、シート前端またはシート後端から罫線５ａまでの距離が最も短い段ボールシートのその距離よりも小さく設定されている。そのため、いずれの段ボールシート５についても、図３に示すように罫線５ａが上流側の送りローラ１、２と対向するときは、下流側の送りローラ１、２で挟まれており、また、罫線５ａが下流側の送りローラ１、２と対向するときは、上流側の送りローラ１、２で挟まれており、安定して送られる。
【００１６】
上側の送りローラ１は、図４に示すように上ステー８でそれぞれ回転可能に支持されており、その一端にギア９が設けられている。また上ステー８には、上側の送りローラ１と平行な上回転駆動軸１０が回転可能に設けられており、この上回転駆動軸１０には、上側の送りローラ１のギア９と噛み合うギア１１が設けられている。上回転駆動軸１０は、駆動装置（図示せず）で駆動されて回転するようになっており、上回転駆動軸１０が回転すると、その回転運動がギア１１、９を介して上側の送りローラ１にそれぞれ伝わってその送りローラ１を同時に回転させる。そのため、上側のそれぞれの送りローラ１の回転速度が一致し、段ボールシート５がより精度よく送られる。
【００１７】
また、上側のそれぞれの送りローラ１は、上ステー８で個別に支持されているのでたわみにくい。そのため、上側の送りローラ１が共振しにくく、段ボールシート５を高速で送るときにも送りの精度がよい。
【００１８】
上ステー８は、上下方向に移動可能にフレーム１２に取り付けられている。このフレーム１２には、図５に示すように上ステー８と接触する調整カム１３が回転可能に設けられており、調整カム１３を駆動装置（図示せず）で回転させると、その調整カム１３が上ステー８を押し動かして上下方向に移動させる。このとき、上側の送りローラ１が上ステー８と一緒に移動するので、上側の送りローラ１と下側の送りローラ２の間の隙間の大きさが変化する。このようにして、上側の送りローラ１と下側の送りローラ２の間の隙間の大きさを変えることができ、その隙間の大きさを段ボールシート５の厚みや反りの状態に応じて調整することによって、段ボールシート５をより精度よく送ることができる。
【００１９】
上回転駆動軸１０は上ステー８で支持されており、調整カム１３を回転させて上側の送りローラ１を上下方向に移動させたときに、上回転駆動軸１０が一緒に移動してギア１１とギア９の噛み合いを維持するようになっている。
【００２０】
下側の送りローラ２も、図４に示すようにそれぞれ下ステー１４で回転可能に支持されており、一端にギア１５が設けられている。このギア１５は、下側の送りローラ２と平行に配置された下回転駆動軸１６のギア１７と噛み合っている。そのため、下回転駆動軸１６を駆動装置（図示せず）で回転させると下側の送りローラ２がそれぞれ同時に回転する。下ステー１４は、両端がフレーム１２に固定されている。
【００２１】
このように、下側のそれぞれの送りローラ２も、下ステー１４で個別に支持されているのでたわみにくい。そのため、下側の送りローラ２が共振しにくく、段ボールシート５を高速で送るときにも送りの精度がよい。
【００２２】
ローラユニット３は、図６に示すようにシート送り方向に交互にずれる千鳥状の配置とし、図５に示すように上流側に位置する送りローラ１と下流側に位置する送りローラ１の中間の上方に上回転駆動軸１０を配置すると好ましい。このようにすると、送りローラ１と上回転駆動軸１０が上下に並ぶので、シート送り装置のシート送り方向の設置スペースが小さく済み、フレキソフォルダグルア等の印刷機ユニットへの組み込みが容易となる。また、上側のそれぞれの送りローラ１と上回転駆動軸１０との軸心間距離が統一されるので、上回転駆動軸１０と上側のそれぞれの送りローラ１とを連結するギアを共通化して、メンテナンス性と経済性をともに向上させることができる。
【００２３】
同様に、下回転駆動軸１６も、千鳥状に配置したローラユニット３の隣り合う送りローラ２、２の中間の下方に配置すると好ましい。
【００２４】
ローラユニット３は、図では千鳥状の配置としているが、たとえば中央のローラユニットから遠いほど下流側にずれるＶ字状の配置としてもよく、シート送り方向に対して直角方向に隣り合うローラユニットがシート送り方向に互いにずれる配置であればよい。
【００２５】
上回転駆動軸１０の回転を上側の送りローラ１に伝達するトルク伝達手段はギアに限定されない。たとえばチェーン、タイミングベルト、Ｖベルトなどで行なってもよい。下回転駆動軸１６の回転を下側の送りローラ２に伝達するトルク伝達手段についても同様である。
【００２６】
上記実施形態では、上側の送りローラ１と上回転駆動軸１０とをギアで連結して上側のそれぞれの送りローラ１を同時に回転させているが、たとえば送りローラごとにモータ等の駆動装置を設け、その駆動装置を同時に駆動することによって同時に回転させるようにしてもよい。このようにすれば、段ボールシート５の大きさに応じて送りローラ１を選択的に駆動し、部品の消耗を最小限に抑えることができる。下側の送りローラ２の駆動についても同様である。
【００２７】
また、上記実施形態では、搬送するシートとして段ボールシートを挙げて説明したが、たとえば表面に溝が形成された樹脂シートなど、他のシートを搬送してもよい。
【図面の簡単な説明】
【００２８】
【図１】この発明のシート送り装置のローラユニットの側面図
【図２】図１のローラユニットの斜視図
【図３】図１の上流側の送りローラから段ボールシートが罫線の位置で離れた状態を示す側面図
【図４】図１のローラユニットを正面から見た断面図
【図５】（ａ）は図４のＡ−Ａ線に沿った断面図、（ｂ）は図４のＢ−Ｂ線に沿った断面図
【図６】図４のＣ−Ｃ線に沿った断面図
【図７】従来のシート送り装置の側面図
【符号の説明】
【００２９】
１        上側の送りローラ
２        下側の送りローラ
３        ローラユニット
５        段ボールシート
９、１１、１５、１７    ギア
１０      上回転駆動軸
１６      下回転駆動軸
【図１】
2006312539.tif 000003
【図２】
2006312539.tif 000004
【図３】
2006312539.tif 000005
【図４】
2006312539.tif 000006
【図５】
2006312539.tif 000007
【図６】
2006312539.tif 000008
【図７】
2006312539.tif 000009